(57)【要約】【課題】　設置場所の面積に応じてサイズを多様に可変でき、かつ設置空間の活用度も高めることができる組立式冷蔵庫を提供することを目的とする。【解決手段】　組立式冷蔵庫において、ドア開口を有する貯蔵室を形成する複数の冷却キャビネットと、前記各冷却キャビネットのドア開口を開閉するドアと、前記貯蔵室を冷却させるための冷気を生成する冷気生成部と、前記冷気生成部で生成された冷気を前記貯蔵室に供給する冷気供給部とを備え、前記複数の冷却キャビネットは相互に分離結合が可能で、設置空間の形状に応じて任意の方向に相互に隣接に配置することができることを特徴とする。 【選択図】　図１
2004085194.tif 000002
【特許請求の範囲】
【請求項１】
　ドア開口を有する貯蔵室を形成する複数の冷却キャビネットと、
　前記各冷却キャビネットのドア開口を開閉するドアと、
　前記貯蔵室を冷却させるための冷気を生成する冷気生成部と、
　前記冷気生成部で生成された冷気を前記貯蔵室に供給する冷気供給部とを備え、
　前記複数の冷却キャビネットは相互に分離結合が可能で、設置空間の形状に応じて任意の方向に相互に隣接して配置することができることを特徴とする組立式冷蔵庫。 
【請求項２】
　前記複数の冷却キャビネットの配置組立体は、六面体を形成することを特徴とする請求項１に記載の組立式冷蔵庫。
【請求項３】
　前記複数の冷却キャビネットは、一定のサイズを有する第１冷却キャビネットと、前記第１冷却キャビネットより小さいサイズを有する第２冷却キャビネットと、を含むことを特徴とする請求項２に記載の組立式冷蔵庫。
【請求項４】
　前記冷気生成部は前記冷却キャビネットに備えられた熱電半導体素子を含むことを特徴とする請求項１に記載の組立式冷蔵庫。
【請求項５】
　前記冷気生成部は前記複数の冷却キャビネットにそれぞれ備えられた蒸発機と、前記各蒸発機に冷媒を供給するように冷媒を圧縮する圧縮機と、前記圧縮機で圧縮された冷媒を凝縮する凝縮機とを備え、前記圧縮機と前記凝縮機は機械室に設けられていることを特徴とする請求項１に記載の組立式冷蔵庫。
【請求項６】
　前記機械室は前記冷却キャビネットとは別途に備えられており、前記凝縮機と前記蒸発機は冷媒流動管により連結されており、前記各蒸発機からの冷媒を前記圧縮機に復帰させるように前記各蒸発機と前記圧縮機は冷媒復帰管により連結されていることを特徴とする請求項５に記載の組立式冷蔵庫。
【請求項７】
　前記機械室は前記複数の冷却キャビネットのうち、いずれか一つに備えられることを特徴とする請求項５に記載の組立式冷蔵庫。
【請求項８】
　前記冷媒流動管には電子膨脹バルブが備えられていることを特徴とする請求項６に記載の組立式冷蔵庫。
【請求項９】
　前記冷気供給部は前記貯蔵室の後方に備えられて前記蒸発機で生成された冷気を前記貯蔵室に案内する案内ダクトを含むことを特徴とする請求項５に記載の組立式冷蔵庫。
【請求項１０】
　前記冷媒流動管及び前記冷媒復帰管を前記蒸発機と連結するための少なくとも一つのカプラをさらに含むことを特徴とする請求項９に記載の組立式冷蔵庫。
【請求項１１】
　前記圧縮機、前記凝縮機、前記電子膨脹バルブ及び蒸発機は前記貯蔵室に供給される冷気を生成する冷却サイクルをなし、前記冷却サイクルはインバーター回路をさらに含むことを特徴とする請求項１０に記載の組立式冷蔵庫。
【発明の詳細な説明】
【技術分野】
【０００１】
　本発明は組立式冷蔵庫に係り、より詳しくは、設置場所の面積に応じてサイズを多様に可変できる組立式冷蔵庫に関する。
【背景技術】
【０００２】
　最近、冷蔵庫の大型化の趨勢により、このような冷蔵庫を設置するためにはより広い設置空間が要求される。
【０００３】
　このように大型冷蔵庫の設置のための空間がより多く必要であるが、使用者の住居空間が狭い場合、大型冷蔵庫は使用者の住居空間の大部分を占める。これにより、実際には使用者の住居空間の活用度が大型冷蔵庫により低下するという問題点がある。
【０００４】
　さらに、現在販売されている冷蔵庫の場合、そのサイズが画一的に設定されており、冷蔵庫の配置場所に応じて使用者が冷蔵庫のサイズを可変できるいずれの手段も備えられていないので、冷蔵庫を購入してからも配置問題により相当な不便がある。
【０００５】
　これに対して特許文献１には分離型冷蔵庫が開示されているが、これは冷蔵庫の運搬や移動の難点を改善するために冷凍室及び冷却室を分離するのに過ぎず、冷蔵庫を配置すべき空間に応じて冷蔵庫のサイズを可変できないため、前記問題点を解決することができない。
【特許文献１】大韓民国特許公開第１９９７−４７５３８号明細書
【発明の開示】
【発明が解決しようとする課題】
【０００６】
　したがって、本発明の目的は、設置場所の面積に応じてサイズを多様に可変できる組立式冷蔵庫を提供することにある。 
【課題を解決するための手段】
【０００７】
　上記目的を達成するための本発明は、ドア開口を有する貯蔵室を形成する複数の冷却キャビネットと、前記各冷却キャビネットのドア開口を開閉するドアと、前記貯蔵室を冷却させるための冷気を生成する冷気生成部と、前記冷気生成部で生成された冷気を前記貯蔵室に供給する冷気供給部とを備え、前記複数の冷却キャビネットは相互に分離結合が可能で、設置空間の形状に応じて任意の方向に相互に隣接して配置することができることを特徴とする組立式冷蔵庫により達成される。
　ここで、前記複数の冷却キャビネットの配置組合は、六面体を形成することが好ましい。
【０００８】
　また、前記複数の冷却キャビネットは、一定のサイズを有する第１冷却キャビネットと、前記第１冷却キャビネットより小さいサイズを有する第２冷却キャビネットと、を含むことが好ましい。
【０００９】
　一方、前記冷気生成部は前記冷却キャビネットに備えられた熱電半導体素子を含むことができる。
【００１０】
　また、前記冷気生成部は前記複数の冷却キャビネットにそれぞれ備えられた蒸発機と、前記各蒸発機に冷媒を供給するように冷媒を圧縮する圧縮機と、前記圧縮機で圧縮された冷媒を凝縮する凝縮機とを備え、前記圧縮機と前記凝縮機は機械室に設けられていることが好ましい。
【００１１】
　一方、前記機械室は前記冷却キャビネットとは別途に備えられており、前記凝縮機と前記蒸発機は冷媒流動管により連結されており、前記各蒸発機からの冷媒を前記圧縮機に復帰させるように前記各蒸発機と前記圧縮機は冷媒復帰管により連結されていることが好ましい。
【００１２】
　また、前記機械室は前記複数の冷却キャビネットのうち、いずれか一つに備えられることができる。
【００１３】
　また、前記冷媒流動管には電子膨脹バルブが備えられていることが好ましい。
【００１４】
　また、前記冷気供給部は前記貯蔵室の後方に備えられて前記蒸発機で生成された冷気を前記貯蔵室に案内する案内ダクトを含むことが好ましい。
【００１５】
　一方、前記冷媒流動管及び前記冷媒復帰管を前記蒸発機と連結するための少なくとも一つのカプラをさらに含むことができる。
【００１６】
　一方、前記圧縮機、前記凝縮機、前記電子膨脹バルブ及び蒸発機は前記貯蔵室に供給される冷気を生成する冷却サイクルをなし、前記冷却サイクルはインバーター回路をさらに含むことができる。
【発明の効果】
【００１７】
　上述したように、本発明によれば、設置場所の面積に応じてサイズを多様に可変できる組立式冷蔵庫を提供し、組立式冷蔵庫を設ける設置空間の活用度も高めることができる。
【発明を実施するための最良の形態】
【００１８】
　以下、添付図面を参照して本発明について詳細に説明する。
　図１乃至図３は本発明による冷却キャビネットを多様に配置して組立てた組立式冷蔵庫の斜視図である。示したように、本発明による組立式冷蔵庫１は複数の冷却キャビネット１０を連続的に連結して備える。
【００１９】
　冷却キャビネット１０は前方開口を有する貯蔵室１１を形成し、貯蔵室１１の前方開口はドア１２により開閉される。ここで、ドア１２は冷却キャビネット１０に対して回動可能に設けられるか、冷却キャビネット１０に対してスライド移動可能に備えられることもできる。
【００２０】
　各貯蔵室１１は後方領域に貯蔵室１１を冷却させるための冷気を生成する冷気生成部である蒸発機１３が設けられており、蒸発機１３で生成された冷気を貯蔵室１１に供給するための冷気供給部が備えられている。
【００２１】
　冷気供給部は、図６に示したように、貯蔵室１１の後方領域に備えられて蒸発機１３からの冷気を貯蔵室１１に案内する案内ダクト２０と、案内ダクト２０の上に備えられて蒸発機１３からの冷気を貯蔵室１１に送風する送風ファン２１とを含む。
【００２２】
　一方、各貯蔵室１１に備えられた各蒸発機１３で冷気が生成されるようにするための冷却サイクルを構成するために各冷却キャビネット１０とは別途に機械室３０が備えられている。 
【００２３】
　機械室３０には冷媒を高温、高圧で圧縮する圧縮機３１と、圧縮機３１で圧縮された冷媒を凝縮する凝縮機３２とが備えられている。ここでは機械室３０が各冷却キャビネット１０とは別途に備えられているが、多様な形態に組立てられる複数の冷却キャビネット１０のうち、いずれか一つを圧縮機３１及び凝縮機３２などを受容する機械室３０として利用することができる。
【００２４】
　さらに、このように凝縮機３２を通過した冷媒を熱交換させる各蒸発機１３に流入させるために凝縮機３２は各蒸発機１３と各々の冷媒流動管４０により連結されており、冷媒流動管４０には電子膨脹バルブ４１が備えられている。
【００２５】
　電子膨脹バルブ４１は冷却サイクルで負荷に応じてバルブの開度を調整することにより、減圧された冷媒吐出し量を能動的に調節できる。
【００２６】
　さらに、蒸発機１３を通過して熱交換済みの冷媒を再び圧縮機３１に復帰させるために各蒸発機１３と圧縮機３１は冷媒復帰管４２により連結されている。
【００２７】
　また、前記冷媒流動管４０及び冷媒復帰管４２を蒸発機と連結するときに着脱が容易になるように、冷却キャビネット１０の後方壁に設けられたカプラ４３を用いて連結する。ここでは、一つのカプラ４３により冷媒流動管４０と冷媒復帰管４２が蒸発機と連結されているが、図８に示したように、二つのカプラ４３を備えて一つは冷媒流動管４０を蒸発機と連結するときに使用し、もう一つは冷媒復帰管４２の蒸発機と連結するときに使用することもできる。
【００２８】
　図５の冷媒循環図に示した冷媒サイクルにより各貯蔵室１１に供給される冷気の生成過程を調べると、次の通りである。
【００２９】
　冷媒サイクルは電源７０により駆動されて冷媒を高温、高圧で圧縮して吐出す圧縮機３１と、圧縮機３１で吐出された冷媒から熱を取り除く凝縮機３２と、高圧の冷媒を蒸発圧力で低下させる電子膨脹バルブ４１と、減圧された冷媒が蒸発する蒸発機１３とを備え、このような冷媒サイクルは圧縮機３１に駆動周波数を供給するためのインバーター回路７１をさらに含む。
【００３０】
　ここで、インバーター回路７１の出力周波数は適宜能力で圧縮機を駆動させるために負荷に応答して制御されて圧縮機のエネルギーの消耗を減らす。
【００３１】
　かかる冷媒サイクルにより冷媒が機械室３０の圧縮機３１及び凝縮機３２を通過して各貯蔵室１１に設けられた各蒸発機１３に到達して熱交換が行われることにより冷気が生成され、その冷気が貯蔵室１１に供給される。さらに、熱交換された冷媒は再び圧縮機３１に復帰して続けて循環される。これにより、各貯蔵室１１の温度を個別的に制御することもできる。
【００３２】
　一方、上述した実施例では冷却サイクルを用いて冷気を発生させたが、図７に示したように、貯蔵室１１の後方に熱電半導体素子６０を設けて冷気を生成し、これを貯蔵室１１に供給することもできる。
【００３３】
　ここで、熱電半導体素子６０は半導体と金属の接合面に電流が流れるときにジュール(Joule)熱以外の熱を発生、吸収する熱電現象を用いたものであり、電流の大きさと方向により吸熱と発熱の量と方向調節が可能であり、機械的に作動する部分がなく、設置位置や方向がその動作に影響を与えない。
【００３４】
　このような構成により組立式冷蔵庫１は、図１乃至図３に示したように、冷却キャビネット１０を使用者が所望の形態に配置して組立てたり、ユーザーが組立式冷蔵庫１を設置しようとする設置空間の形状に応じて任意の方向、例えば、前後、左右、上下または左右方向等に複数の冷却キャビネット１０を配置して組立てることができる。
【００３５】
　図１乃至図３に示した組立式冷蔵庫１の組立方向は同一であるため、図１に示した組立式冷蔵庫１のみを説明する。
【００３６】
　説明の便宜上、第１、第２、第３冷却キャビネットを図１の冷却キャビネット１０とは他の参照符号５１，５２，５３と表記する。図１及び図４に示した組立式冷蔵庫１の設置方法は、設置しようとする場所の底面に所定の長さを有する第１冷却キャビネット５１を設け、第１冷却キャビネット５１の上に第１冷却キャビネット５１より小さい三つの第２冷却キャビネット５２を積層させた後、三つの第２冷却キャビネット５２を連結した上に第１冷却キャビネット５１と同じサイズの第３冷却キャビネット５３を積層させて完成する。すなわち、各冷却キャビネット５１，５２，５３の連結線が直線をなして四角状の組立式冷蔵庫１の組立てを形成する。即ち、複数の冷却キャビネット１０の配置組立が六面体を形成することになる。一方、各冷却キャビネット５１，５２，５３の間は各冷却キャビネット５１，５２，５３に備えられた結合手段により結合される。ここで、結合手段はスライド結合手段、凹凸かみ合い結合手段などに多様に備えることができる。
【００３７】
　このように冷却キャビネット１０を組立てて本発明による組立式冷蔵庫１を完成すると、電源を印加して組立式冷蔵庫１を駆動させる。
【００３８】
　これにより、圧縮機３１が駆動して冷媒が高温、高圧で圧縮され、その圧縮機３１から吐出された冷媒は凝縮機３２で凝縮されて冷媒流動管４０を通じて蒸発機１３に到達して熱交換され、このように生成された冷気が貯蔵室１１に供給される。ここで、蒸発機１３は各冷却キャビネット１０ごとに備えられているので、各貯蔵室１１に供給される冷気は各々の貯蔵室１１の後方に位置する蒸発機１３で生成されて供給される。
【００３９】
　さらに、このように駆動する本発明による組立式冷蔵庫１は各種のサイズを有する冷却キャビネット１０を設置しようとする設置場所の形状に応じて使用者が多様に組立て及び分解して所望のサイズにつくれるので、すなわち、複数の冷却キャビネット１０の配置組立をユーザーの所望の通りに可変できるため、使用者が冷蔵庫の設置のための位置選定の難点や運搬の不便を解消するのみならず、食べ物の貯蔵のための貯蔵室１１の増設時に簡便に貯蔵室１１を形成する冷却キャビネット１０をさらに組立てることにより、その難題を解決することができる。
【００４０】
　一方、上述した実施例では、圧縮機３１と凝縮機３２を含む機械室３０が冷却キャビネット１０と別途に備えられているが、圧縮機と凝縮機を含む機械室を冷却キャビネットに設けることもできる。
【００４１】
　さらに、組立式冷蔵庫１の形態は図１乃至図３に示した形態に限るものでなく、使用者の選択に応じて各種のサイズの冷却キャビネットを多様な形態に組立てて組立式冷蔵庫を形成することもできる。
【００４２】
　一方、第１及び第２実施例による組立式冷蔵庫は、図１乃至図７に示したように、所定の住居空間にそのまま配置されるか、多様な形態に組立てられる組立式冷蔵庫をキャビネットに受容させることもできる。
【００４３】
　例えば、図１に示したように組立てられた組立式冷蔵庫を、受容空間を形成する受容部と、受容部の前方端部に備えられたキャビネット開口部とを含むキャビネットに受容することもできる。
【図面の簡単な説明】
【００４４】
【図１】本発明による冷却キャビネットを多様に配置して組立てた組立式冷蔵庫の斜視図である。
【図２】本発明による冷却キャビネットを多様に配置して組立てた組立式冷蔵庫の斜視図である。
【図３】本発明による冷却キャビネットを多様に配置して組立てた組立式冷蔵庫の斜視図である。
【図４】図１による組立式冷蔵庫の分解斜視図である。
【図５】本発明の第１実施例による組立式冷蔵庫の冷媒循環図である。
【図６】本発明の第１実施例による冷却キャビネットの結合側の断面図である。
【図７】本発明の第２実施例による冷却キャビネットの結合側の断面図である。
【図８】本発明の第３実施例による冷却キャビネットの結合側の断面図である。
【符号の説明】
【００４５】
　１　組立式冷蔵庫
　１０　冷却キャビネット
　１１　貯蔵室
　１２　ドア
　１３　蒸発機 
　２０　案内ダクト
　２１　送風ファン
　３０　機械室
　３１　圧縮機 
　３２　凝縮機
　４０　冷媒流動管 
　４１　電子膨脹バルブ
　４２　冷媒復帰管
　６２　熱電半導体素子
【図１】
2004085194.tif 000003
【図２】
2004085194.tif 000004
【図３】
2004085194.tif 000005
【図４】
2004085194.tif 000006
【図５】
2004085194.tif 000007
【図６】
2004085194.tif 000008
【図７】
2004085194.tif 000009
【図８】
2004085194.tif 000010